(57)【要約】【課題】カスタマが、発注先の実装メーカとして、発注する実装基板に適した実装メーカを特定することができる基板生産情報の公開方法を提供する。【解決手段】実装メーカ装置３００とカスタマ装置４００とに通信ネットワークを介して接続される基板生産情報公開装置１００が、実装メーカ２０の実装基板の生産の情報を公開する方法であって、基板生産情報公開装置１００が実装メーカ２０の生産情報を実装メーカ装置３００から受信する生産情報受信ステップ（Ｓ１０２）と、基板生産情報公開装置１００が、生産情報に基づいて、実装メーカ２０の生産の実力を示す情報であり、カスタマ３０が実装基板の発注の可否を判断するために必要な情報である生産実力情報４１０を生成する生産実力情報生成ステップ（Ｓ１０８）と、基板生産情報公開装置１００が、生産実力情報４１０をカスタマ３０に公開する生産実力情報公開ステップ（Ｓ１１２）とを含む。【選択図】図９
2010199440.tif 000002
【特許請求の範囲】
【請求項１】
基板に部品を実装し実装基板を生産する実装メーカが有する実装メーカ装置と、前記実装メーカに前記実装基板を発注するカスタマが有するカスタマ装置とに通信ネットワークを介して接続される基板生産情報公開装置が、前記実装メーカの前記実装基板の生産の情報を公開する方法であって、
前記基板生産情報公開装置が、前記実装メーカの前記実装基板の生産に関する生産情報を、前記実装メーカ装置から受信する生産情報受信ステップと、
前記基板生産情報公開装置が、受信した前記生産情報に基づいて、前記実装メーカの前記実装基板の生産に関する生産の実力を示す情報であり、前記カスタマが前記実装基板の発注の可否を判断するために必要な情報である生産実力情報を生成する生産実力情報生成ステップと、
前記基板生産情報公開装置が、生成した前記生産実力情報を前記カスタマ装置に送信することで、前記生産実力情報を前記カスタマに公開する生産実力情報公開ステップと
を含む基板生産情報の公開方法。
【請求項２】
さらに、
前記基板生産情報公開装置が、前記カスタマが前記実装基板を発注するために必要な条件である発注条件を、前記カスタマ装置から受信する発注条件受信ステップを含み、
前記生産実力情報生成ステップでは、前記基板生産情報公開装置は、前記生産情報が前記発注条件を満たす実装メーカを示す前記生産実力情報を生成する
請求項１に記載の基板生産情報の公開方法。
【請求項３】
さらに、
前記基板生産情報公開装置が、受信した前記発注条件を蓄積する発注条件蓄積ステップを含み、
前記生産実力情報生成ステップでは、前記基板生産情報公開装置は、受信した前記発注条件のうち蓄積された数が多い発注条件から順に配列された、前記生産情報が前記発注条件を満たす実装メーカを示す前記生産実力情報を生成する
請求項２に記載の基板生産情報の公開方法。
【請求項４】
前記基板生産情報公開装置は、複数の実装メーカが有する複数の実装メーカ装置と通信ネットワークを介して接続されており、
前記生産情報受信ステップでは、前記複数の実装メーカの生産情報を、前記基板生産情報公開装置が前記複数の実装メーカ装置から受信し、
前記基板生産情報の公開方法は、さらに、
前記基板生産情報公開装置が、受信した前記複数の実装メーカの生産情報を蓄積する生産情報蓄積ステップと、
前記基板生産情報公開装置が、前記発注条件ごとに、実装メーカごとの前記生産情報を前記発注条件と比較することで、前記生産情報が前記発注条件を満たしている度合いを算出する度合算出ステップとを含み、
前記生産実力情報生成ステップでは、前記発注条件ごとに、前記度合いが高い順に配列された実装メーカを示す前記生産実力情報を生成する
請求項２又は３に記載の基板生産情報の公開方法。
【請求項５】
前記生産実力情報生成ステップでは、前記基板生産情報公開装置は、前記発注条件に対応した前記実装メーカの生産情報を含む前記生産実力情報を生成する
請求項１〜４のいずれか１項に記載の基板生産情報の公開方法。
【請求項６】
前記基板生産情報公開装置は、複数の実装メーカが有する複数の実装メーカ装置と通信ネットワークを介して接続されており、
前記生産情報受信ステップでは、前記複数の実装メーカの生産情報を、前記基板生産情報公開装置が前記複数の実装メーカ装置から受信し、
前記基板生産情報の公開方法は、さらに、
前記基板生産情報公開装置が、受信した前記複数の実装メーカの生産情報を蓄積する生産情報蓄積ステップと、
前記基板生産情報公開装置が、前記カスタマが前記実装基板を発注するために必要な条件である発注条件を、前記カスタマ装置から受信する発注条件受信ステップと、
前記基板生産情報公開装置が、受信した前記発注条件を蓄積する発注条件蓄積ステップと、
前記基板生産情報公開装置が、前記発注条件蓄積ステップで蓄積した数が多い発注条件ほど大きな値になるように重み係数を算出する重み係数算出ステップと、
前記基板生産情報公開装置が、前記発注条件ごとに、実装メーカごとの前記生産情報を前記発注条件と比較することで、前記生産情報が前記発注条件を満たしている度合いを算出する度合算出ステップと、
前記基板生産情報公開装置が、前記実装メーカごとに、前記実装メーカの生産情報に対応した前記発注条件ごとの前記重み係数と前記度合いとを乗じた数を合計した評価値を算出する評価値算出ステップとを含み、
前記生産実力情報生成ステップでは、前記評価値が大きい順に配列された実装メーカを示す前記生産実力情報を生成する
請求項１に記載の基板生産情報の公開方法。
【請求項７】
前記実装メーカ装置は、前記実装メーカが実装基板を生産するための実装関連設備と接続されており、
前記基板生産情報の公開方法は、さらに、
前記実装メーカ装置が、前記実装関連設備の前記実装基板の生産の能力を示す設備能力情報を、前記実装関連設備から受信する設備能力情報受信ステップと、
前記実装メーカ装置が、前記実装関連設備を操作するオペレータのスキルを示すスキル情報を取得するスキル情報取得ステップとを含み、
前記生産情報受信ステップでは、前記設備能力情報と前記スキル情報とが含まれる前記生産情報を、前記基板生産情報公開装置が前記実装メーカ装置から受信する
請求項１〜６のいずれか１項に記載の基板生産情報の公開方法。
【請求項８】
基板に部品を実装し実装基板を生産する実装メーカが有する実装メーカ装置と、前記実装メーカに前記実装基板を発注するカスタマが有するカスタマ装置とに通信ネットワークを介して接続され、前記実装メーカの前記実装基板の生産の情報を公開する基板生産情報公開装置であって、
前記実装メーカごとの前記実装基板の生産に関する生産情報を、前記実装メーカ装置から受信する受信部と、
受信された前記実装メーカごとの前記生産情報に基づいて、前記実装メーカの前記実装基板の生産に関する生産の実力を示す情報であり、前記カスタマが前記実装基板の発注の可否を判断するために必要な情報である生産実力情報を生成する生産実力情報生成部と、
生成された前記生産実力情報を前記カスタマ装置に送信する生産実力情報送信部と
を備える基板生産情報公開装置。
【請求項９】
基板に部品を実装し実装基板を生産する実装メーカが有する実装メーカ装置と、前記実装メーカに前記実装基板を発注するカスタマが有するカスタマ装置とに通信ネットワークを介して接続される基板生産情報公開装置が、前記実装メーカの前記実装基板の生産の情報を公開するためのプログラムであって、
前記実装メーカの前記実装基板の生産に関する生産情報を、前記実装メーカ装置から受信する生産情報受信ステップと、
受信した前記生産情報に基づいて、前記実装メーカの前記実装基板の生産に関する生産の実力を示す情報であり、前記カスタマが前記実装基板の発注の可否を判断するために必要な情報である生産実力情報を生成する生産実力情報生成ステップと、
生成した前記生産実力情報を前記カスタマ装置に送信することで、前記生産実力情報を前記カスタマに公開する生産実力情報公開ステップと
をコンピュータに実行させるプログラム。
【発明の詳細な説明】
【技術分野】
【０００１】
本発明は、実装基板を生産する実装メーカの実装基板の生産の情報を公開する基板生産情報の公開方法に関する。
【背景技術】
【０００２】
部品実装機などの実装関連設備により基板に部品を実装し実装基板を生産する実装メーカは、顧客であるカスタマからの実装基板の発注により、当該実装基板を生産する。そして、カスタマは、各実装メーカの実装基板の生産状況を監査するなどにより、発注可能な実装メーカの選定を行う。しかし、このカスタマによる各実装メーカの監査には、長い期間を要したり、多くの人員やコストを要する場合が多い。
【０００３】
このため、従来、部品実装機などの実装関連設備を提供し、又は当該実装関連設備のメンテナンスなどのサービスを行うサービス拠点には、サーバー装置（以下、サービス供給装置という）が設置され、各種サービスが行われている。このサービス拠点が行うサービスとしては、サービス供給装置が、実装メーカが有する通信装置（以下、実装メーカ装置という）に通信ネットワークを介して接続され、当該実装メーカが備える部品実装機の稼働情報を収集し、稼働状況をモニタリングする方法が提案されている（例えば、特許文献１参照）。
【０００４】
この方法では、サービス供給装置が行った稼働状況のモニタリング結果を実装メーカ装置が受信することで、実装メーカがサービス拠点からの支援を受けて、目標に届かない弱点部分を改善する。これにより、実装メーカは、実装基板の生産能力を向上することができる。そして、カスタマは、この生産能力が向上した実装メーカを、発注可能な実装メーカとして選定することができる。
【特許文献１】特開２００２−３５９５００号公報（図２、図９、段落番号０１９７等）
【発明の開示】
【発明が解決しようとする課題】
【０００５】
しかしながら、従来の方法では、以下のように、カスタマが、発注先の実装メーカとして、発注する実装基板に適した実装メーカを特定することが困難であるという問題がある。
【０００６】
すなわち、従来の方法では、実装メーカが実装基板の生産能力を向上することはできるが、カスタマが発注する実装基板の生産に適した生産能力を向上したものではない場合がある。
【０００７】
例えば、実装メーカが、特殊部品である０６０３チップ部品（長さ０．６ｍｍ幅０．３ｍｍのサイズを有する極小チップ部品）を基板に実装して超高密実装基板を製造する部品実装の能力は向上したものの、カスタマは、０４０２チップ部品（長さ０．４ｍｍ幅０．２ｍｍのサイズを有する極小チップ部品）が多く実装された実装基板を発注したい場合などである。この場合、カスタマが、発注先の実装メーカとして、０６０３チップ部品の部品実装の能力が向上した実装メーカを特定することは適当ではない。０４０２チップ部品を実装する方が、０６０３チップ部品を実装するよりも、難易度が高いからである。
【０００８】
また、カスタマが、０６０３チップ部品が多く実装された実装基板を発注したいとしても、実装メーカによる０６０３チップ部品の部品実装の能力向上が、カスタマが要求するレベルのものではない場合もある。この場合も、カスタマが、当該実装メーカを発注先の実装メーカとして特定することは適当ではない。
【０００９】
このように、従来の方法では、カスタマが、発注先の実装メーカとして、発注する実装基板に適した実装メーカを特定することが困難である。
【００１０】
そこで、本発明は、このような問題に鑑みてなされたものであり、カスタマが、発注先の実装メーカとして、発注する実装基板に適した実装メーカを特定することができる基板生産情報の公開方法を提供することを目的とする。
【課題を解決するための手段】
【００１１】
上記目的を達成するために、本発明に係る基板生産情報の公開方法は、基板に部品を実装し実装基板を生産する実装メーカが有する実装メーカ装置と、前記実装メーカに前記実装基板を発注するカスタマが有するカスタマ装置とに通信ネットワークを介して接続される基板生産情報公開装置が、前記実装メーカの前記実装基板の生産の情報を公開する方法であって、前記基板生産情報公開装置が、前記実装メーカの前記実装基板の生産に関する生産情報を、前記実装メーカ装置から受信する生産情報受信ステップと、前記基板生産情報公開装置が、受信した前記生産情報に基づいて、前記実装メーカの前記実装基板の生産に関する生産の実力を示す情報であり、前記カスタマが前記実装基板の発注の可否を判断するために必要な情報である生産実力情報を生成する生産実力情報生成ステップと、前記基板生産情報公開装置が、生成した前記生産実力情報を前記カスタマ装置に送信することで、前記生産実力情報を前記カスタマに公開する生産実力情報公開ステップとを含む。
【００１２】
これによれば、実装メーカの生産実力情報が、基板生産情報公開装置からカスタマ装置に送信されることで、カスタマに公開される。ここで、生産実力情報とは、実装メーカの生産の実力を示す情報であり、カスタマが実装基板の発注の可否を判断するために必要な情報である。例えば、カスタマが０４０２チップ部品が多く実装された実装基板を発注したい場合は、生産実力情報とは、０４０２チップ部品などの特殊部品の実装実績の回数である。つまり、カスタマは、公開された実装メーカの０４０２チップ部品の実装実績の回数を参考にして、発注先の実装メーカを特定することができる。このように、カスタマが、発注先の実装メーカとして、発注する実装基板に適した実装メーカを特定することができる。
【００１３】
また、好ましくは、さらに、前記基板生産情報公開装置が、前記カスタマが前記実装基板を発注するために必要な条件である発注条件を、前記カスタマ装置から受信する発注条件受信ステップを含み、前記生産実力情報生成ステップでは、前記基板生産情報公開装置は、前記生産情報が前記発注条件を満たす実装メーカを示す前記生産実力情報を生成する。
【００１４】
これによれば、生産実力情報には、生産情報が発注条件を満たす実装メーカを示す情報が含まれる。つまり、発注条件を満たす生産情報を保有する実装メーカを示す情報がカスタマに公開される。このため、カスタマは、発注条件に合った実装メーカを示す情報を参考にして、発注先の実装メーカを特定することができる。このように、カスタマが、発注先の実装メーカとして、発注する実装基板に適した実装メーカを特定することができる。
【００１５】
また、好ましくは、さらに、前記基板生産情報公開装置が、受信した前記発注条件を蓄積する発注条件蓄積ステップを含み、前記生産実力情報生成ステップでは、前記基板生産情報公開装置は、受信した前記発注条件のうち蓄積された数が多い発注条件から順に配列された、前記生産情報が前記発注条件を満たす実装メーカを示す前記生産実力情報を生成する。
【００１６】
これによれば、生産実力情報には、蓄積された数が多い発注条件から順に配列された、生産情報が発注条件を満たす実装メーカを示す情報が含まれる。つまり、要望が多い発注条件から順に配列された、発注条件を満たす生産情報を保有する実装メーカを示す情報がカスタマに公開される。このため、カスタマは、容易に希望する発注条件を検索でき、発注条件に合った実装メーカを示す情報を参考にして、発注先の実装メーカを特定することができる。このように、カスタマが、発注先の実装メーカとして、発注する実装基板に適した実装メーカを特定することができる。
【００１７】
また、好ましくは、前記基板生産情報公開装置は、複数の実装メーカが有する複数の実装メーカ装置と通信ネットワークを介して接続されており、前記生産情報受信ステップでは、前記複数の実装メーカの生産情報を、前記基板生産情報公開装置が前記複数の実装メーカ装置から受信し、前記基板生産情報の公開方法は、さらに、前記基板生産情報公開装置が、受信した前記複数の実装メーカの生産情報を蓄積する生産情報蓄積ステップと、前記基板生産情報公開装置が、前記発注条件ごとに、実装メーカごとの前記生産情報を前記発注条件と比較することで、前記生産情報が前記発注条件を満たしている度合いを算出する度合算出ステップとを含み、前記生産実力情報生成ステップでは、前記発注条件ごとに、前記度合いが高い順に配列された実装メーカを示す前記生産実力情報を生成する。
【００１８】
これによれば、生産実力情報には、発注条件ごとに、生産情報が発注条件を満たしている度合いが高い順に配列された実装メーカを示す情報が含まれる。つまり、発注条件ごとに、当該発注条件を満たす実装メーカのランキング情報がカスタマに公開される。このため、カスタマは、希望する発注条件に合った実装メーカのランキング情報を参考にして、発注先の実装メーカを特定することができる。このように、カスタマが、発注先の実装メーカとして、発注する実装基板に適した実装メーカを特定することができる。
【００１９】
また、好ましくは、前記生産実力情報生成ステップでは、前記基板生産情報公開装置は、前記発注条件に対応した前記実装メーカの生産情報を含む前記生産実力情報を生成する。
【００２０】
これによれば、生産実力情報には、発注条件に対応した実装メーカの生産情報が含まれる。つまり、当該生産情報もカスタマに公開される。このため、カスタマは、当該生産情報も参考にして、発注先の実装メーカを特定することができる。このように、カスタマが、発注先の実装メーカとして、発注する実装基板に適した実装メーカを特定することができる。
【００２１】
また、前記基板生産情報公開装置は、複数の実装メーカが有する複数の実装メーカ装置と通信ネットワークを介して接続されており、前記生産情報受信ステップでは、前記複数の実装メーカの生産情報を、前記基板生産情報公開装置が前記複数の実装メーカ装置から受信し、前記基板生産情報の公開方法は、さらに、前記基板生産情報公開装置が、受信した前記複数の実装メーカの生産情報を蓄積する生産情報蓄積ステップと、前記基板生産情報公開装置が、前記カスタマが前記実装基板を発注するために必要な条件である発注条件を、前記カスタマ装置から受信する発注条件受信ステップと、前記基板生産情報公開装置が、受信した前記発注条件を蓄積する発注条件蓄積ステップと、前記基板生産情報公開装置が、前記発注条件蓄積ステップで蓄積した数が多い発注条件ほど大きな値になるように重み係数を算出する重み係数算出ステップと、前記基板生産情報公開装置が、前記発注条件ごとに、実装メーカごとの前記生産情報を前記発注条件と比較することで、前記生産情報が前記発注条件を満たしている度合いを算出する度合算出ステップと、前記基板生産情報公開装置が、前記実装メーカごとに、前記実装メーカの生産情報に対応した前記発注条件ごとの前記重み係数と前記度合いとを乗じた数を合計した評価値を算出する評価値算出ステップとを含み、前記生産実力情報生成ステップでは、前記評価値が大きい順に配列された実装メーカを示す前記生産実力情報を生成することにしてもよい。
【００２２】
これによれば、生産実力情報には、評価値が大きい順に配列された実装メーカを示す情報が含まれる。ここで、実装メーカの評価値は、要望が多い発注条件を当該実装メーカの生産情報が満たし、かつ当該発注条件を満たしている度合いが大きいほど大きな値になる。つまり、評価値は、実装メーカの総合ランキング情報を示している。そして、この実装メーカの総合ランキング情報がカスタマに公開される。このため、カスタマは、実装メーカの総合ランキング情報を参考にして、発注先の実装メーカを特定することができる。このように、カスタマが、発注先の実装メーカとして、発注する実装基板に適した実装メーカを特定することができる。
【００２３】
また、好ましくは、前記実装メーカ装置は、前記実装メーカが実装基板を生産するための実装関連設備と接続されており、前記基板生産情報の公開方法は、さらに、前記実装メーカ装置が、前記実装関連設備の前記実装基板の生産の能力を示す設備能力情報を、前記実装関連設備から受信する設備能力情報受信ステップと、前記実装メーカ装置が、前記実装関連設備を操作するオペレータのスキルを示すスキル情報を取得するスキル情報取得ステップとを含み、前記生産情報受信ステップでは、前記設備能力情報と前記スキル情報とが含まれる前記生産情報を、前記基板生産情報公開装置が前記実装メーカ装置から受信する。
【００２４】
これによれば、生産情報には、設備能力情報とスキル情報とが含まれる。このため、基板生産情報公開装置が、設備能力情報やスキル情報に基づいて生産実力情報を生成し、カスタマに公開する。したがって、カスタマは、実装関連設備の実装基板の生産の能力やオペレータのスキルについての生産実力情報を参考にして、発注先の実装メーカを特定することができる。このように、カスタマが、発注先の実装メーカとして、発注する実装基板に適した実装メーカを特定することができる。
【００２５】
なお、本発明は、このような基板生産情報の公開方法として実現することができるだけでなく、その方法に従って基板生産情報の公開を行う基板生産情報公開装置及びそのプログラム、そのプログラムを格納する記憶媒体としても実現することができる。
【発明の効果】
【００２６】
本発明により、基板生産情報公開装置が実装メーカの生産実力情報をカスタマに公開することで、カスタマが、発注先の実装メーカとして、発注する実装基板に適した実装メーカを特定することができる。
【発明を実施するための最良の形態】
【００２７】
以下、本発明の実施の形態について図面を用いて詳細に説明する。
図１は、本発明に係る基板生産情報の公開方法を実現する基板生産情報公開システム１の概略構成図である。
【００２８】
基板生産情報公開システム１は、サービス拠点１０により、実装メーカ２０の実装基板の生産の情報を、カスタマ３０に公開するシステムである。
【００２９】
実装メーカ２０は、基板に部品が実装された実装基板を生産するための部品実装機２００などの実装関連設備を備えている。そして、実装メーカ２０は、当該実装関連設備により基板に部品を実装し、実装基板を生産する。
【００３０】
また、実装メーカ２０は、部品実装機２００などの実装関連設備等から、実装基板の生産に関する生産情報を取得する実装メーカ装置３００を有している。実装メーカ装置３００はパーソナルコンピュータなどのコンピュータである。この実装メーカ装置３００、部品実装機２００及びその生産情報の詳細については、後述する。
【００３１】
カスタマ３０は、実装メーカ２０に実装基板を発注する。具体的には、カスタマ３０は、パーソナルコンピュータなどのコンピュータであるカスタマ装置４００を有している。そして、カスタマ３０は、カスタマ装置４００に表示される生産実力情報４１０を閲覧することで、発注する実装メーカ２０を特定する。この生産実力情報４１０の詳細については、後述する。
【００３２】
サービス拠点１０は、実装関連設備を販売し、メンテナンスを行うなど、実装関連設備に関するサービスを提供する。サービス拠点１０は、パーソナルコンピュータなどのコンピュータである基板生産情報公開装置１００を有している。なお、サービス拠点１０は、実装関連設備の販売は行わずに、実装関連設備に関するサービスを提供する業者であっても構わない。
【００３３】
基板生産情報公開装置１００は、実装メーカ２０の実装基板の生産の情報をカスタマ３０に公開する。具体的には、基板生産情報公開装置１００は、実装メーカ装置３００とカスタマ装置４００とに通信ネットワークを介して接続されている。そして、基板生産情報公開装置１００は、実装メーカ装置３００から実装メーカ２０の生産情報を受信し、生産実力情報４１０を生成する。そして、基板生産情報公開装置１００は、生成した生産実力情報４１０をカスタマ装置４００に送信することで、生産実力情報４１０をカスタマ３０に公開する。
【００３４】
なお、同図では、１つの実装メーカ２０が有する１つの実装メーカ装置３００しか図示していないが、実装メーカ２０は複数社あり、それぞれの実装メーカ２０は実装メーカ装置３００を有することとする。したがって、基板生産情報公開装置１００は、複数の実装メーカ２０が有する複数の実装メーカ装置３００と通信ネットワークを介して接続されている。また、同様に、カスタマ３０も複数あり、基板生産情報公開装置１００は、複数のカスタマ３０のそれぞれに対して生産実力情報４１０を公開するものであっても構わない。
【００３５】
次に、部品実装機２００の構成について説明する。
図２は、部品実装機２００の内部の主要な構成を示す平面図である。
【００３６】
部品実装機２００は、基板２０１に部品を実装する機器である。具体的には、部品実装機２００は、基板２０１に対して部品を実装する２つの実装ユニット２１０ａ，２１０ｂを備えている。２つの実装ユニット２１０ａ，２１０ｂは、お互いが協調し１枚の基板２０１に対して実装作業を行う。なお、基板２０１の搬送方向をＸ軸方向、水平面内でのＸ軸方向と垂直の方向をＹ軸方向とする。すると、２つの実装ユニット２１０ａ，２１０ｂは、Ｙ軸方向に並べられて配置されている。
【００３７】
実装ユニット２１０ａと実装ユニット２１０ｂとは、それぞれ同様の構成を有している。つまり、実装ユニット２１０ａは、部品供給部２１１ａ、装着ヘッド２１３ａ及び部品認識カメラ２１４ａを備えている。同様に、実装ユニット２１０ｂは、部品供給部２１１ｂ、装着ヘッド２１３ｂ及び部品認識カメラ２１４ｂを備えている。
【００３８】
ここで、実装ユニット２１０ａの詳細な構成について説明する。なお、実装ユニット２１０ｂの詳細な構成については、実装ユニット２１０ａと同様であるため、省略する。また、それ以下の説明においても、実装ユニット２１０ａについての説明を行うが、実装ユニット２１０ｂについても同様である。
【００３９】
部品供給部２１１ａは、部品テープを収納する複数の部品カセット２１２ａの配列からなる。複数の部品カセット２１２ａは、Ｘ軸方向に並んで配置されている。そして、この部品カセット２１２ａ内の部品テープは、Ｙ軸方向にテープ送りされる。なお、部品テープとは、例えば、同一部品種の複数の部品がテープ（キャリアテープ）上に均等に並べられたものであり、リール等に巻かれた状態で供給される。また、部品テープに並べられる部品は、例えばチップ等であって、具体的には０４０２チップ部品や１００５チップ部品などである。
【００４０】
装着ヘッド２１３ａは、複数の吸着ノズルを備えており、部品カセット２１２ａの部品を吸着して基板２０１に装着する。
【００４１】
部品認識カメラ２１４ａは、装着ヘッド２１３ａに吸着された部品を撮影し、その部品の吸着状態を２次元又は３次元的に検査するために用いられる。
【００４２】
図３は、装着ヘッド２１３ａと部品カセット２１２ａの位置関係を示す模式図である。
装着ヘッド２１３ａには、例えば最大１０個の吸着ノズルｎｚを取り付けることが可能である。１０個の吸着ノズルｎｚが取り付けられた装着ヘッド２１３ａは、最大１０個の部品カセット２１２ａのそれぞれから部品を同時に（１回の上下動作で）吸着することができる。なお、図３のＸ軸方向及びＹ軸方向は、図２に示されたＸ軸方向及びＹ軸方向に対応している。つまり、Ｘ軸方向に複数の部品カセット２１２ａが並んで配置され、この部品カセット２１２ａ内の部品テープは、Ｙ軸方向にテープ送りされる。
【００４３】
このような部品実装機２００の実装ユニット２１０ａは、装着ヘッド２１３ａを部品供給部２１１ａに移動させて、部品供給部２１１ａから供給される部品をその装着ヘッド２１３ａに吸着させる。そして、実装ユニット２１０ａは、装着ヘッド２１３ａを部品認識カメラ２１４ａ上に一定速度で移動させ、装着ヘッド２１３ａに吸着された全ての部品の画像を部品認識カメラ２１４ａに取り込ませ、部品の吸着位置を正確に検出させる。さらに、実装ユニット２１０ａは、装着ヘッド２１３ａを基板２０１に移動させて、吸着している全ての部品を基板２０１の実装点に順次装着させる。実装ユニット２１０ａは、このような装着ヘッド２１３ａによる吸着、移動、および装着という動作を繰り返し実行することにより、予め定められた全ての部品を基板２０１に実装する。
【００４４】
また、実装ユニット２１０ｂも、実装ユニット２１０ａと同様に、装着ヘッド２１３ｂによる吸着、移動、および装着という動作を繰り返し実行する。これらにより、実装ユニット２１０ａおよび実装ユニット２１０ｂは、予め定められた全ての部品を基板２０１に実装する。
【００４５】
次に、実装メーカ２０が有する実装メーカ装置３００について説明する。
図４は、本実施の形態における実装メーカ装置３００の機能構成を示すブロック図である。
【００４６】
実装メーカ装置３００は、メーカ装置入力部３０１、メーカ装置表示部３０２、制御部３０３、生産情報生成部３０４、生産情報送信部３０５、メーカ装置通信部３０７及びメーカ装置格納部３１０を備えている。
【００４７】
メーカ装置入力部３０１は、例えばキーボードやマウスなどで構成されており、オペレータからの操作を受け付けて、その操作結果を制御部３０３や生産情報生成部３０４などに通知する。
【００４８】
メーカ装置表示部３０２は、例えば液晶ディスプレイなどで構成されており、制御部３０３や生産情報生成部３０４、生産情報送信部３０５などの動作状態を表示したり、メーカ装置格納部３１０などに格納されているデータを表示したりする。
【００４９】
制御部３０３は、生産情報生成部３０４や生産情報送信部３０５等の各処理部の制御などの生産情報の生成に関する制御を行う。なお、制御部３０３は、部品実装機２００の動作も制御することにしても構わない。つまり、制御部３０３は、部品実装機２００の装着ヘッド２１３ａ、２１３ｂの動作を制御して基板２０１に部品を実装するなど、部品実装に関する様々な制御を行うことにしても構わない。
【００５０】
生産情報生成部３０４は、メーカ装置入力部３０１や制御部３０３などから実装基板の生産に関する情報を取得し、実装メーカ２０の実装基板の生産に関する生産情報を生成する。ここで、生産情報とは、実装メーカ２０が実装基板を生産するための設備である部品実装機２００などの実装関連設備の能力を示す設備能力情報や、当該実装関連設備を操作するオペレータのスキルを示すスキル情報などである。
【００５１】
また、生産情報生成部３０４は、生成した生産情報を、メーカ装置格納部３１０に格納されている生産情報データ３１０ｃに書き込むことで、生産情報データ３１０ｃを更新する。この生産情報データ３１０ｃの詳細については、後述する。
【００５２】
生産情報送信部３０５は、生産情報生成部３０４が生成した実装メーカ２０の生産情報を、サービス拠点１０が有する基板生産情報公開装置１００に送信する。具体的には、生産情報送信部３０５は、メーカ装置格納部３１０に格納されている生産情報データ３１０ｃを基板生産情報公開装置１００に送信する。
【００５３】
メーカ装置通信部３０７は、ＬＡＮ（Local Area Network）アダプタ等であり、実装メーカ装置３００と、部品実装機２００及び基板生産情報公開装置１００との通信等に用いられる。例えば、メーカ装置通信部３０７は、制御部３０３の指示に基づいて、部品実装に関する指示を部品実装機２００に与えたり、部品実装機２００から生産情報を取得したりする。また、メーカ装置通信部３０７は、生産情報送信部３０５の指示に基づいて、生産情報データ３１０ｃを基板生産情報公開装置１００に送信したりする。
【００５４】
メーカ装置格納部３１０は、部品実装機２００が部品を基板２０１に実装する処理に用いられるデータや、部品実装機２００の生産情報を示すデータ等を格納している。メーカ装置格納部３１０は、例えば、ＮＣデータ３１０ａ、部品ライブラリ３１０ｂ及び生産情報データ３１０ｃを格納している。
【００５５】
図５〜図７は、それぞれ、ＮＣデータ３１０ａ、部品ライブラリ３１０ｂ及び生産情報データ３１０ｃの一例を示す図である。
【００５６】
図５は、ＮＣデータ３１０ａの一例を示す図である。
ＮＣデータ３１０ａは、実装の対象となる全ての部品の実装点を示す情報の集まりである。１つの実装点ｐｉは、部品種ｃｉ、Ｘ座標ｘｉ、Ｙ座標ｙｉ、制御データφｉ、および実装角度θｉからなる。ここで、部品種は、図６に示される部品ライブラリ３１０ｂにおける部品名に相当し、Ｘ座標及びＹ座標は、実装点の座標（基板上の特定位置を示す座標）であり、制御データは、その部品の実装に関する制約情報（使用可能な吸着ノズルｎｚのタイプ、装着ヘッドの最高移動加速度等）を示す。実装角度θｉは、部品種ｃｉの部品を吸着したノズルが回転すべき角度を示す。なお、最終的に求めるべきＮＣ（Numeric Control）データとは、ラインタクトが最小となるような実装点の並びである。
【００５７】
図６は、部品ライブラリ３１０ｂの一例を示す図である。
部品ライブラリ３１０ｂは、部品実装機２００が扱うことができる全ての部品種それぞれについての固有の情報を集めたライブラリである。この部品ライブラリ３１０ｂは、同図に示すように、部品種（部品名）ごとの部品サイズ、タクト（一定条件下における部品種に固有のタクト）、その他の制約情報（使用可能な吸着ノズルのタイプ、部品認識カメラによる認識方式、装着ヘッドの最高加速度比等）からなる。なお、同図には、参考として、各部品種の部品の外観も併せて示されている。部品ライブラリ３１０ｂには、その他に、部品の色や形状などの情報が含まれていてもよい。
【００５８】
図７は、生産情報データ３１０ｃの一例を示す図である。
生産情報データ３１０ｃは、実装メーカ２０の実装基板の生産に関する生産情報の集まりである。同図に示すように、生産情報データ３１０ｃは、生産情報の項目、及び各項目に対する個別情報などからなる。
【００５９】
生産情報の項目は、実装関連設備の能力を示す設備能力情報と当該実装関連設備を操作するオペレータのスキルを示すスキル情報などに大きく分けられている。そして、設備能力情報とは、生産する実装基板の種類である生産機種、特殊部品である０４０２チップ部品の実装実績、装着ヘッド２１３ａによる部品の装着率や吸着率などである。また、スキル情報とは、部品実装機２００に関する知識、ＮＣデータ３１０ａの作成スキルや特殊部品である０４０２チップ部品に関する知識などである。
【００６０】
個別情報は、各項目に対する情報である。例えば、実装メーカ２０でＡ機種とＢ機種の実装基板を生産している場合は、生産機種の項目に対応する個別情報は、Ａ、Ｂ機種である。また、０４０２チップ部品を実装する必要がある製品を１４製品生産した実績がある場合は、０４０２実装実績の項目に対応する個別情報は、１４回である。また、オペレータが部品実装機２００に関する知識についてのトレーニングを行い、トレーニングのスコアが９５点であった場合は、実装機知識の項目に対応する個別情報は、９５点である。
【００６１】
次に、サービス拠点１０が有する基板生産情報公開装置１００について説明する。
図８は、本実施の形態における基板生産情報公開装置１００の機能構成を示すブロック図である。
【００６２】
基板生産情報公開装置１００は、公開装置入力部１０１、公開装置表示部１０２、受信部１０３、蓄積部１０４、生産実力情報生成部１０５、生産実力情報送信部１０６、公開装置通信部１０７及び公開装置格納部１１０を備えている。
【００６３】
公開装置格納部１１０は、生産実力情報４１０を生成する処理に用いられるデータ等を格納している。公開装置格納部１１０は、例えば、生産情報蓄積データ１１０ａ、発注条件蓄積データ１１０ｂ及び生産実力情報データ１１０ｃを格納している。この生産情報蓄積データ１１０ａ、発注条件蓄積データ１１０ｂ及び生産実力情報データ１１０ｃの詳細については、後述する。
【００６４】
公開装置入力部１０１は、例えばキーボードやマウスなどで構成されており、オペレータからの操作を受け付けて、その操作結果を受信部１０３や生産実力情報送信部１０６などに通知する。
【００６５】
公開装置表示部１０２は、例えば液晶ディスプレイなどで構成されており、受信部１０３や生産実力情報送信部１０６などの動作状態を表示したり、公開装置格納部１１０などに格納されているデータを表示したりする。
【００６６】
受信部１０３は、実装メーカ２０ごとの実装基板の生産に関する生産情報を、複数の実装メーカ装置３００から受信する。具体的には、受信部１０３は、実装メーカ装置３００の生産情報送信部３０５が送信した生産情報データ３１０ｃを受信する。また、受信部１０３は、カスタマ３０が実装基板を発注するために必要な条件である発注条件を、カスタマ装置４００から受信する。
【００６７】
蓄積部１０４は、受信部１０３が受信した複数の実装メーカ２０の生産情報を蓄積する。具体的には、蓄積部１０４は、受信部１０３が受信した生産情報データ３１０ｃを、公開装置格納部１１０に格納されている生産情報蓄積データ１１０ａに書き込み蓄積することで、生産情報蓄積データ１１０ａを更新する。
【００６８】
また、蓄積部１０４は、受信部１０３が受信した発注条件を蓄積する。具体的には、蓄積部１０４は、受信部１０３が受信した発注条件を、公開装置格納部１１０に格納されている発注条件蓄積データ１１０ｂに書き込み蓄積することで、発注条件蓄積データ１１０ｂを更新する。
【００６９】
生産実力情報生成部１０５は、受信部１０３が受信した実装メーカ２０ごとの生産情報に基づいて、生産実力情報４１０を生成する。ここで、生産実力情報４１０とは、実装メーカ２０の実装基板の生産に関する生産の実力を示す情報であり、カスタマ３０が実装基板の発注の可否を判断するために必要な情報である。
【００７０】
具体的には、生産実力情報生成部１０５は、受信部１０３が受信した生産情報と発注条件とから、生産実力情報４１０を生成し、公開装置格納部１１０に格納されている生産実力情報データ１１０ｃに書き込むことで、生産実力情報データ１１０ｃを更新する。
【００７１】
生産実力情報送信部１０６は、生産実力情報生成部１０５が生成した生産実力情報４１０をカスタマ装置４００に送信する。具体的には、生産実力情報送信部１０６は、公開装置格納部１１０に格納されている生産実力情報データ１１０ｃの生産実力情報４１０をカスタマ装置４００に送信する。
【００７２】
公開装置通信部１０７は、ＬＡＮ（Local Area Network）アダプタ等であり、基板生産情報公開装置１００と、実装メーカ装置３００及びカスタマ装置４００との通信等に用いられる。例えば、公開装置通信部１０７は、受信部１０３の指示に基づいて、実装メーカ装置３００から生産情報を受信したり、カスタマ装置４００から発注条件を受信したりする。また、公開装置通信部１０７は、生産実力情報送信部１０６の指示に基づいて、カスタマ装置４００に生産実力情報４１０を送信したりする。
【００７３】
次に、基板生産情報公開装置１００が生産実力情報４１０を生成し、カスタマ３０に公開する動作の一例について、具体的に説明する。
【００７４】
図９は、本実施の形態における基板生産情報公開装置１００の動作の一例を示すフローチャートである。
【００７５】
まず、受信部１０３は、実装メーカ２０ごとの実装基板の生産に関する生産情報を、複数の実装メーカ装置３００から受信する（Ｓ１０２）。
【００７６】
ここで、実装メーカ装置３００の生産情報生成部３０４は、実装メーカ２０の実装基板の生産に関する生産情報を生成し、生産情報データ３１０ｃを更新している。
【００７７】
具体的には、生産情報生成部３０４は、実装関連設備である部品実装機２００の実装基板の生産の能力を示す設備能力情報を、部品実装機２００から受信する。また、生産情報生成部３０４は、部品実装機２００を操作するオペレータのスキルを示すスキル情報を取得する。これにより、生産情報生成部３０４は、設備能力情報とスキル情報とが含まれる生産情報を生成し、生産情報データ３１０ｃを更新する。そして、実装メーカ装置３００の生産情報送信部３０５は、生産情報データ３１０ｃを基板生産情報公開装置１００に送信する。
【００７８】
このため、受信部１０３は、実装メーカ装置３００の生産情報送信部３０５が送信した設備能力情報とスキル情報とが含まれる生産情報データ３１０ｃを受信する。
【００７９】
そして、蓄積部１０４は、受信部１０３が受信した複数の実装メーカ２０の生産情報を蓄積する（Ｓ１０４）。つまり、蓄積部１０４は、受信部１０３が受信した生産情報データ３１０ｃを生産情報蓄積データ１１０ａに書き込み蓄積することで、生産情報蓄積データ１１０ａを更新する。
【００８０】
図１０は、生産情報蓄積データ１１０ａの一例を示す図である。
生産情報蓄積データ１１０ａは、実装メーカ２０ごとの生産情報データ３１０ｃが蓄積された生産情報の集まりである。同図に示すように、生産情報蓄積データ１１０ａは、実装メーカ及び実装メーカに対応する生産情報などからなる。
【００８１】
図９に戻り、受信部１０３は、発注条件をカスタマ装置４００から受信する（Ｓ１０６）。具体的には、サービス拠点１０の基板生産情報公開装置１００が公開するホームページを、カスタマ３０がカスタマ装置４００を用いて閲覧する。そして、カスタマ３０が、実装基板を発注するために必要な発注条件をカスタマ装置４００に入力することで、受信部１０３が当該発注条件をカスタマ装置４００から受信する。
【００８２】
そして、生産実力情報生成部１０５は、生産実力情報４１０を生成する（Ｓ１０８）。つまり、生産実力情報生成部１０５は、生産実力情報４１０を生成し、生産実力情報データ１１０ｃに書き込むことで、生産実力情報データ１１０ｃを更新する。この生産実力情報生成部１０５が生産実力情報４１０を生成する処理の詳細については、後述する。
【００８３】
そして、生産実力情報送信部１０６は、生産実力情報生成部１０５が生成した生産実力情報４１０をカスタマ装置４００に送信する（Ｓ１１０）。つまり、生産実力情報送信部１０６は、生産実力情報データ１１０ｃの生産実力情報４１０をカスタマ装置４００に送信する。
【００８４】
そして、生産実力情報４１０がカスタマ３０に公開される（Ｓ１１２）。例えば、基板生産情報公開装置１００が生産実力情報４１０をホームページ上に公開し、カスタマ３０がカスタマ装置４００に表示される当該ホームページを閲覧することで、生産実力情報４１０が生産実力情報送信部１０６からカスタマ装置４００に送信される。これにより、生産実力情報４１０がカスタマ３０に公開される。
【００８５】
次に、生産実力情報生成部１０５が生産実力情報４１０を生成する処理（図９のＳ１０８）の詳細について説明する。
【００８６】
図１１は、生産実力情報生成部１０５が生産実力情報４１０を生成する処理（図９のＳ１０８）の詳細を示すフローチャートである。
【００８７】
まず、蓄積部１０４は、受信部１０３が受信した発注条件を蓄積する（Ｓ２０２）。つまり、蓄積部１０４は、発注条件を発注条件蓄積データ１１０ｂに書き込み蓄積することで、発注条件蓄積データ１１０ｂを更新する。
【００８８】
図１２は、発注条件蓄積データ１１０ｂの一例を示す図である。
発注条件蓄積データ１１０ｂは、カスタマ３０が実装基板を発注するために必要な条件である発注条件の情報の集まりである。同図に示すように、発注条件蓄積データ１１０ｂは、発注条件及び発注条件の蓄積数などからなる。
【００８９】
発注条件は、実装関連設備の能力を示す設備能力情報と当該実装関連設備を操作するオペレータのスキルを示すスキル情報などに大きく分けられている。そして、設備能力情報とは、生産する実装基板の種類である生産機種、特殊部品である０４０２チップ部品の実装実績などである。また、スキル情報とは、部品実装機２００に関する知識などである。
【００９０】
発注条件の蓄積数は、蓄積部１０４に蓄積されていった発注条件の数である。例えば、カスタマ３０がＡ機種の実装基板を発注したいために、Ａ機種の生産機種を発注条件とした回数が１６０回であった場合は、Ａ機種の生産機種に対応する蓄積数は１６０である。また、カスタマ３０が部品実装機２００に関して高い知識を有するオペレータがいる実装メーカ２０に発注したいために、オペレータの実装機知識についてのトレーニングのスコアが１００点であることを発注条件とした回数が１００回であった場合は、実装機知識１００点に対応する蓄積数は１００である。
【００９１】
図１１に戻り、生産実力情報生成部１０５は、生産実力情報４１０を生成する対象となる発注条件を抽出する（Ｓ２０４）。例えば、生産実力情報生成部１０５は、蓄積部１０４が蓄積した数が所定の閾値よりも多い発注条件を抽出する。
【００９２】
そして、生産実力情報生成部１０５が抽出した全ての発注条件について、以下の処理（Ｓ２０８〜Ｓ２１２）が繰り返される（ループ１：Ｓ２０６〜Ｓ２１４）。
【００９３】
まず、生産実力情報生成部１０５は、発注条件ごとに、生産情報が発注条件を満たす実装メーカ２０を抽出する（Ｓ２０８）。例えば、０４０２チップ部品の実装実績が１０回以上の発注条件に対しては、０４０２チップ部品の実装実績が１０回以上の生産情報を有する実装メーカ２０を抽出する。
【００９４】
そして、生産実力情報生成部１０５は、発注条件ごとに、実装メーカ２０ごとの生産情報を発注条件と比較することで、生産情報が発注条件を満たしている度合いを算出する（Ｓ２１０）。例えば、０４０２チップ部品の実装実績が１０回以上の発注条件に対して、０４０２チップ部品の実装実績が１０回の生産情報を有する実装メーカ２０の当該度合いを１．０、当該実装実績が２０回の生産情報を有する実装メーカ２０の当該度合いを２．０などと算出する。
【００９５】
そして、生産実力情報生成部１０５は、発注条件ごとに、当該度合いが高い順に実装メーカ２０を配列する（Ｓ２１２）。
【００９６】
このようにして、生産実力情報生成部１０５は、発注条件ごとに、生産情報が発注条件を満たし、生産情報が発注条件を満たしている度合いが高い順に配列された実装メーカ２０を示す生産実力情報４１０を生成する。
【００９７】
そして、生産実力情報生成部１０５は、蓄積数が多い順に発注条件を配列する（Ｓ２１６）。これにより、生産実力情報生成部１０５は、発注条件のうち蓄積された数が多い発注条件から順に配列された、生産情報が発注条件を満たす実装メーカ２０を示す生産実力情報４１０を生成する。
【００９８】
以上により、生産実力情報生成部１０５が生産実力情報４１０を生成する処理（図９のＳ１０８）は、終了する。
【００９９】
ここで、生産実力情報４１０を含む生産実力情報データ１１０ｃの一例について説明する。
【０１００】
図１３は、生産実力情報データ１１０ｃの一例を示す図である。
生産実力情報データ１１０ｃは、生産実力情報４１０を生成するためのデータの集まりである。同図に示すように、生産実力情報データ１１０ｃは、発注条件、発注条件の蓄積数、生産実力情報４１０、度合いなどからなる。
【０１０１】
発注条件は、蓄積数が多い順に配列されている。また、生産実力情報４１０は、発注条件ごとに、生産情報が発注条件を満たし、生産情報が発注条件を満たしている度合いが高い順に、実装メーカ２０が配列されている。また、生産実力情報４１０は、発注条件に対応した実装メーカ２０の生産情報も含んでいる。
【０１０２】
図１４は、カスタマ装置４００のカスタマ装置表示部４０１に表示される生産実力情報４１０の一例を示す図である。
【０１０３】
同図では、図１３に示された生産実力情報４１０が、カスタマ装置表示部４０１に表示されている。例えば、０４０２チップ部品の実装実績が１０回以上の発注条件に対して、当該発注条件を満たす生産情報を有する実装メーカ２０がＦ社とＡ社とＷ社であることを示している。また、オペレータの実装機知識についてのトレーニングのスコアが９０点以上の発注条件に対して、当該発注条件を満たす生産情報を有する実装メーカ２０がＸ社とＹ社とＺ社等であることを示している。
【０１０４】
このように、カスタマ３０が、発注条件に合った実装メーカ２０を示す生産実力情報４１０を参考にして、発注先の実装メーカ２０として、発注する実装基板に適した実装メーカ２０を特定することができる。
【０１０５】
（変形例）
ここで、本実施の形態における変形例について説明する。上記実施の形態では、生産実力情報生成部１０５が、発注条件ごとの実装メーカ２０のランキングを示す生産実力情報４１０を生成した。しかし、本変形例では、実装メーカ２０の総合のランキングを示す生産実力情報４１０を生成する。
【０１０６】
ここで、本変形例は、上記実施の形態での生産実力情報生成部１０５が生産実力情報４１０を生成する処理（図９のＳ１０８）が異なるため、当該処理以外の説明は省略し、当該処理について以下に説明する。
【０１０７】
図１５は、本実施の形態の変形例における、生産実力情報生成部１０５が生産実力情報４１０を生成する処理（図９のＳ１０８）の詳細を示すフローチャートである。
【０１０８】
まず、蓄積部１０４は、受信部１０３が受信した発注条件を蓄積する（Ｓ３０２）。この処理については、上記実施の形態での処理（図９のＳ２０２）と同様であるため、説明を省略する。
【０１０９】
そして、生産実力情報生成部１０５は、蓄積数が多い発注条件ほど大きな値になるように、重み係数を算出する（Ｓ３０４）。
【０１１０】
図１６は、本実施の形態の変形例における、生産実力情報生成部１０５が生産実力情報４１０を生成する処理を説明する図である。
【０１１１】
同図に示すように、生産実力情報生成部１０５は、発注条件の蓄積数が最大である「０４０２実装実績」の重み係数Ｉを１．０と算出する。そして、蓄積数が低下するに従って、重み係数Ｉを０．９、０．８などと算出していく。
【０１１２】
図１５に戻り、生産実力情報生成部１０５は、発注条件ごとに、実装メーカ２０ごとの生産情報を発注条件と比較することで、生産情報が発注条件を満たしている度合いを算出する（Ｓ３０６）。この処理については、上記実施の形態での処理（図９のＳ２１０）と同様であるため、説明を省略する。
【０１１３】
次に、生産実力情報生成部１０５は、実装メーカ２０ごとに、実装メーカ２０の生産情報に対応した発注条件ごとの重み係数と当該度合いとを乗じた数を合計した評価値を算出する（Ｓ３０８）。
【０１１４】
具体的には、図１６に示すように、生産実力情報生成部１０５は、発注条件ごとの重み係数Ｉと、生産情報ごとの度合いIIとを乗じた積IIIを算出する。そして、生産実力情報生成部１０５は、実装メーカ２０ごとに積IIIを合計することで、実装メーカ２０ごとの評価値を算出する。
【０１１５】
そして、生産実力情報生成部１０５は、当該評価値が大きい順に実装メーカ２０を配列する（Ｓ３１０）。このようにして、生産実力情報生成部１０５は、評価値が大きい順に配列された実装メーカ２０を示す生産実力情報４１０を生成する。
【０１１６】
以上により、生産実力情報生成部１０５が生産実力情報４１０を生成する処理（図９のＳ１０８）は、終了する。
【０１１７】
ここで、本実施の形態の変形例における生産実力情報４１０を含む生産実力情報データ１１０ｃの一例について説明する。
【０１１８】
図１７は、本実施の形態の変形例における生産実力情報データ１１０ｃの一例を示す図である。
【０１１９】
同図に示すように、生産実力情報データ１１０ｃは、生産実力情報４１０と評価値などからなる。評価値は、実装メーカ２０ごとの積IIIの合計値である。そして、生産実力情報４１０は、評価値の大きい順に実装メーカ２０が配列されている。つまり、生産実力情報４１０は、実装メーカ２０を評価する総合のランキングの情報である。
【０１２０】
図１８は、本実施の形態の変形例における、カスタマ装置４００のカスタマ装置表示部４０１に表示される生産実力情報４１０の一例を示す図である。
【０１２１】
同図では、図１７に示された生産実力情報４１０が、カスタマ装置表示部４０１に表示されている。つまり、実装メーカ２０の総合ランキングが、Ｘ社、Ｆ社、Ｇ社等の順番であることを示している。
【０１２２】
このように、カスタマ３０が、実装メーカ２０の総合ランキングを示す生産実力情報４１０を参考にして、発注先の実装メーカ２０として、発注する実装基板に適した実装メーカ２０を特定することができる。
【０１２３】
以上、本発明に係る基板生産情報の公開方法について、上記実施の形態及びその変形例を用いて説明したが、本発明は、これに限定されるものではない。
【０１２４】
つまり、今回開示された実施の形態及びその変形例はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１２５】
たとえば、本実施の形態では、生産実力情報生成部１０５は、蓄積数が多い発注条件から順に配列され、生産情報が発注条件を満たし、生産情報が発注条件を満たしている度合いが高い順に配列された実装メーカ２０を示す生産実力情報４１０を生成することとした。しかし、生産実力情報生成部１０５は、以下に示すような生産実力情報４１０を生成し、当該生産実力情報４１０がカスタマ装置表示部４０１に表示されることにしてもよい。
【０１２６】
図１９Ａ〜図１９Ｃは、カスタマ装置表示部４０１に表示される生産実力情報４１０の他の一例を示す図である。
【０１２７】
まず、生産実力情報生成部１０５は、カスタマ３０が入力した発注条件について、当該発注条件を満たす生産情報を有する実装メーカ２０を示す生産実力情報４１０を生成することにしてもよい。例えば、図１９Ａに示すように、カスタマ３０が発注条件として、０４０２チップ部品の実装実績が１０回以上と入力して検索した場合、カスタマ装置４００のカスタマ装置表示部４０１には、当該発注条件を満たす生産情報を有する実装メーカ２０がＦ社とＡ社とＷ社であるという生産実力情報４１０が表示される。
【０１２８】
また、生産実力情報生成部１０５は、生産情報が発注条件を満たしている度合いに関係なく、生産情報が発注条件を満たしている実装メーカ２０を示す生産実力情報４１０を生成することにしてもよい。例えば、図１９Ｂに示すように、生産実力情報生成部１０５は、０４０２チップ部品の実装実績が１０回以上であれば、回数に関係なく、生産情報が発注条件を満たしている実装メーカ２０がＡ社とＦ社とＷ社であるという生産実力情報４１０を生成する。
【０１２９】
また、生産実力情報生成部１０５は、生産情報が発注条件を満たしていなくとも、生産情報が発注条件を満たしている度合いが高い順に実装メーカ２０を配列して、生産実力情報４１０を生成することにしてもよい。例えば、図１９Ｃに示すように、生産実力情報生成部１０５は、０４０２チップ部品の実装実績の回数を限定せず、当該回数の多い順に実装メーカ２０を配列して、生産実力情報４１０を生成する。
【０１３０】
また、本実施の形態では、生産実力情報生成部１０５は、生産実力情報４１０を生成する対象となる発注条件を抽出することとした。しかし、生産実力情報生成部１０５は、発注条件を抽出せずに、全ての発注条件を対象として生産実力情報４１０を生成してもよい。
【０１３１】
また、本実施の形態及びその変形例では、複数の実装メーカ２０が有する複数の実装メーカ装置３００が、基板生産情報公開装置１００に接続されていることとした。しかし、実装メーカ２０は１社のみであり、基板生産情報公開装置１００に接続される実装メーカ装置３００は１つであってもよい。
【０１３２】
また、本実施の形態及びその変形例では、実装メーカ装置３００はパーソナルコンピュータなどのコンピュータであることとしたが、この実装メーカ装置３００の機能が部品実装機２００の内部に備わっていてもよい。
【０１３３】
また、本実施の形態及びその変形例では、実装メーカ２０は、実装関連設備として部品実装機２００を有しており、生産情報は、部品実装機２００の生産情報であることとした。しかし、実装関連設備は、部品実装機に限定されず、印刷機など、部品実装に関連する設備であればよく、生産情報も、そのような実装関連設備の生産情報であることにしてもよい。
【産業上の利用可能性】
【０１３４】
本発明は、実装基板を生産する実装メーカの実装基板の生産の情報を公開する基板生産情報の公開方法に適用でき、特に、カスタマが、発注先の実装メーカとして、発注する実装基板に適した実装メーカを特定することができる基板生産情報の公開方法に適用できる。
【図面の簡単な説明】
【０１３５】
【図１】本発明に係る基板生産情報の公開方法を実現する基板生産情報公開システムの概略構成図である。
【図２】部品実装機の内部の主要な構成を示す平面図である。
【図３】装着ヘッドと部品カセットの位置関係を示す模式図である。
【図４】本実施の形態における実装メーカ装置の機能構成を示すブロック図である。
【図５】ＮＣデータの一例を示す図である。
【図６】部品ライブラリの一例を示す図である。
【図７】生産情報データの一例を示す図である。
【図８】本実施の形態における基板生産情報公開装置の機能構成を示すブロック図である。
【図９】本実施の形態における基板生産情報公開装置の動作の一例を示すフローチャートである。
【図１０】生産情報蓄積データの一例を示す図である。
【図１１】生産実力情報生成部が生産実力情報を生成する処理の詳細を示すフローチャートである。
【図１２】発注条件蓄積データの一例を示す図である。
【図１３】生産実力情報データの一例を示す図である。
【図１４】カスタマ装置のカスタマ装置表示部に表示される生産実力情報の一例を示す図である。
【図１５】本実施の形態の変形例における、生産実力情報生成部が生産実力情報を生成する処理の詳細を示すフローチャートである。
【図１６】本実施の形態の変形例における、生産実力情報生成部が生産実力情報を生成する処理を説明する図である。
【図１７】本実施の形態の変形例における生産実力情報データの一例を示す図である。
【図１８】本実施の形態の変形例における、カスタマ装置のカスタマ装置表示部に表示される生産実力情報の一例を示す図である。
【図１９Ａ】カスタマ装置表示部に表示される生産実力情報の他の一例を示す図である。
【図１９Ｂ】カスタマ装置表示部に表示される生産実力情報の他の一例を示す図である。
【図１９Ｃ】カスタマ装置表示部に表示される生産実力情報の他の一例を示す図である。
【符号の説明】
【０１３６】
１    基板生産情報公開システム
１０    サービス拠点
２０    実装メーカ
３０    カスタマ
１００    基板生産情報公開装置
１０１    公開装置入力部
１０２    公開装置表示部
１０３    受信部
１０４    蓄積部
１０５    生産実力情報生成部
１０６    生産実力情報送信部
１０７    公開装置通信部
１１０    公開装置格納部
１１０ａ  生産情報蓄積データ
１１０ｂ  発注条件蓄積データ
１１０ｃ  生産実力情報データ
２００    部品実装機
２０１    基板
２１０ａ  実装ユニット
２１１ａ  部品供給部
２１２ａ  部品カセット
２１３ａ  装着ヘッド
２１４ａ  部品認識カメラ
３００    実装メーカ装置
３０１    メーカ装置入力部
３０２    メーカ装置表示部
３０３    制御部
３０４    生産情報生成部
３０５    生産情報送信部
３０７    メーカ装置通信部
３１０    メーカ装置格納部
３１０ａ  ＮＣデータ
３１０ｂ  部品ライブラリ
３１０ｃ  生産情報データ
４００    カスタマ装置
４０１    カスタマ装置表示部
４１０    生産実力情報
【図１】
2010199440.tif 000003
【図２】
2010199440.tif 000004
【図３】
2010199440.tif 000005
【図４】
2010199440.tif 000006
【図５】
2010199440.tif 000007
【図６】
2010199440.tif 000008
【図７】
2010199440.tif 000009
【図８】
2010199440.tif 000010
【図９】
2010199440.tif 000011
【図１０】
2010199440.tif 000012
【図１１】
2010199440.tif 000013
【図１２】
2010199440.tif 000014
【図１３】
2010199440.tif 000015
【図１４】
2010199440.tif 000016
【図１５】
2010199440.tif 000017
【図１６】
2010199440.tif 000018
【図１７】
2010199440.tif 000019
【図１８】
2010199440.tif 000020
【図１９Ａ】
2010199440.tif 000021
【図１９Ｂ】
2010199440.tif 000022
【図１９Ｃ】
2010199440.tif 000023